(57)【要約】【課題】　複数の記録媒体の挿排を効果的に実施し得る電子機器を提供する。【解決手段】　電子機器１の前面に設けられた光ディスク等の記録媒体を挿排するための挿入スロット２を、電子機器１に移動可能に支持されている格納部１１がカード型記録媒体ＭＣの着脱を不可能とする位置に配置されると光ディスクの挿排を不可能とし、格納部１１がカード型記録媒体ＭＣの着脱を可能とする位置に配置されると光ディスクの挿排を可能とする。格納部１１にはカード型記録媒体を着脱するための挿排口３５が設けられ、カード型記録媒体の着脱を可能とする位置に格納部１１が配置されるとその挿排口３５が露出される。【選択図】　　　図１
2004087109.tif 000002
【特許請求の範囲】
【請求項１】
機器本体と、
　前記機器本体に設けられ、第１記録媒体を前記機器本体内外に挿排可能とする第１挿排口と、
　前記機器本体に設けられ、第２記録媒体を着脱可能に格納する第２記録媒体格納部と、
　前記第２記録媒体の着脱を可能とする第１の位置と前記第２記録媒体の着脱を不可能とする第２の位置とに亘って前記第２記録媒体格納部を移動させる移動手段と、
　前記第２記録媒体格納部を前記第１の位置に移動させると、前記第１挿排口を前記第１記録媒体の挿排が可能な状態とし、前記第２記録媒体格納部を前記第２の位置に移動させると、前記第１挿排口を前記第１記録媒体の挿排が不可能な状態とすることを特徴とする電子機器。
【請求項２】
前記第２記録媒体格納部は、前記第２記録媒体を着脱するための第２挿排口を有し、
　前記第２記録媒体格納部が前記第１の位置に移動されたときには、前記第２挿排口が前記機器本体外に露出されることを特徴とする請求項１に記載の電子機器。
【発明の詳細な説明】
【技術分野】
【０００１】
　本発明は、電子機器の技術分野に属する。
【背景技術】
【０００２】
　従来、車両内にオーディオ装置やナビゲーション装置等の電子機器を搭載することが広く一般化している。
【０００３】
　従来の電子機器として機器本体の前面側に開閉式の前面パネルを設けたものが普及されている。その電子機器は、機器本体の前面に記録メディアを挿排するための挿排口を設け、前面パネルが機器本体の前面を露出することで記録メディアの挿排を可能とし、機器本体の前面を覆うことで記録メディアの挿排を不可能とする構成になっている。前面パネルの開閉は、ある意味、挿排口に挿入されたままの状態（記録メディアの一部が外部に露出された状態、いわゆる半挿入状態）で記録メディアを長時間放置させないという役割も担っている。つまり、記録メディアが半挿入状態であると前面パネルが閉じられないことから、そのような状態を回避するために記録メディアを引き抜いたり、機器本体内に挿入させたりする行為を行う。
【０００４】
【特許文献１】特開平９−２３７９７８号公報
【発明の開示】
【発明が解決しようとする課題】
【０００５】
　近年では、カード型記録メディア等の新たな記録メディアが進出してきており、上記した電子機器においてもその新たな記録メディアに対応すべく機器本体の前面に新たな挿排口を設ける必要性が生じる。しかしながら、既存の挿排口との位置関係、及び前面パネルが機器本体の前面を開放した状態における機器本体の前面の露出範囲、電子機器の小型化、記録メディアの挿排のし易さ、デザイン上の制約等から、設計上新たな挿排口を容易に設けることができない。
【０００６】
　また、新たな挿排口を機器本体の前面以外のところ、例えば、前面パネルに設けるという考えもあるが、そうなると、上記した半挿入状態、また、カード型記録メディアの場合では、装着部に正しく装着されても記録メディアの一部が外部に露出している状態になることが想定される。そのような状態で使用者が電子機器から離れると記録メディアの盗難の虞を拭いきれない。
【０００７】
　本発明は、上記した事情を一つの課題としてとらえ、少なくとも複数の記録メディアの挿排を効果的に行うことを可能とする電子機器を提供することにある。
【課題を解決するための手段】
【０００８】
請求項１に記載の発明は、前記機器本体に設けられ、第１記録媒体を前記機器本体内外に挿排可能とする第１挿排口と、前記機器本体に設けられ、第２記録媒体を着脱可能に格納する第２記録媒体格納部と、前記第２記録媒体の着脱を可能とする第１の位置と前記第２記録媒体の着脱を不可能とする第２の位置とに亘って前記第２記録媒体格納部を移動させる移動手段と、前記第２記録媒体格納部を前記第１の位置に移動させると、前記第１挿排口を前記第１記録媒体の挿排が可能な状態とし、前記第２記録媒体格納部を前記第２の位置に移動させると、前記第１挿排口を前記第１記録媒体の挿排が不可能な状態とすることを特徴とする。
【発明を実施するための最良の形態】
【０００９】
　次に、本発明に好適な実施の形態について、図面に基づいて説明する。
【００１０】
　なお、以下に説明する各実施の形態は、車載用のオーディオ装置等である電子機器の構造に対して本発明を適用した場合の実施の形態である。
【００１１】
　（Ｉ）第１実施形態
　初めに、本発明に係る第１実施形態について、図１乃至図３を用いて説明する。
【００１２】
　なお、図１は第１実施形態に係る電子機器の正面図であり、図２は当該電子機器の内部構造を示す上方から見た内面図であり、図３は当該電子機器の動作を示す側方断面図である。
【００１３】
　図１に示すように、第１実施形態の電子機器１は、機器本体としての筐体Ｃ内に、格納状態（図１（ａ））と展開状態（図１（ｂ））との間で開閉可能とされている前面パネル３を備えている。ここで、当該前面パネル３の開閉動作については後述する。
【００１４】
　そして、当該前面パネル３には、電子機器１の操作状態を表示するための表示部１２と、当該電子機器１の動作を設定するための操作部４及び５並びに操作ボタン６ａ乃至６ｊと、が設けられている。
【００１５】
　次に、当該前面パネル３は、上述したように格納状態（図１（ａ））と展開状態（図１（ｂ））との間で開閉可能とされている。より具体的には、格納状態（図１（ａ））においては、前面パネル３は、車両の進行方向に対して略垂直な状態とされ、上記した操作部４及び５等が操作可能な状態となる。
【００１６】
　一方、展開状態（図１（ｂ））においては、前面パネル３の下端が使用者の方向にせり出すと共に前面パネル３自体が後方に倒れこむように動作し、格納状態（図１（ａ））においては前面パネル３の背面に隠れて見えない状態とされていた内壁１ａが当該展開状態では電子機器１の前面に露出することとなる。そして、この動作により、当該内壁１ａに設けられている第１挿排口としての挿入スロット２に対して第１記録媒体としての光ディスク等を挿排することが可能となる。なお、当該光ディスクは、挿入スロット２から挿入されて電子機器１内の図示しない装填部に装填されて用いられるものであり、電子機器１において再生されるべき音楽情報等が記録されているものである。また、例えば、音楽情報等の再生が終了したら、挿入スロット２を介して排出されるものである。
【００１７】
　他方、図１（ｂ）に示す展開状態においては、当該展開された前面パネル３の下方において、第１実施形態に係る第２記録媒体としてのカード型記録媒体を格納する第２記録媒体格納部としての格納部１１に形成されている当該カード型記録媒体を着脱するための第２挿排口としての挿排口３５が、前面パネル３の底面３ａに形成された切欠孔３ｂから露出する。そして、支持部材としての支持部９（図２参照）に設けられると共に前面パネル３が展開時に後方に倒れ込む際の回転中心となる回転軸７と、当該前面パネル３の底面３ａに設けられ格納部１１に格納されたカード型記録媒体を当該格納部１１から排出するための排出釦１０とが、当該挿排口３５と共に電子機器１の前方に露出するように構成されている。
【００１８】
　次に、第１実施形態の電子機器１について、特に前面パネル３及び格納部１１の動作に係る部分の構造を図２及び図３を用いて説明する。
【００１９】
　図２に示すように、前面パネル３が格納された状態（すなわち、図１（ａ）の状態）の電子機器１を、筐体Ｃを取り外した状態で上方から見ると、上記前面パネル３は、当該格納状態では筐体Ｃに嵌め込むためのフレームＦを備える筐体枠ＣＣの内側に嵌まり込む状態とされている。そして、その前面パネル３の下方にある上記支持部９には、上記格納部１１が固定されている。
【００２０】
　このとき、格納部１１は、その挿排口３５が前面パネル３の切欠孔３ｂと対向する位置に固定されている。
【００２１】
　一方、支持部９の前面パネル３に平行な方向の両端には、支持部９を格納部１１と共に図２（ａ）中上下方向に直線状に移動させるための移動用フレーム２０が形成されている。
【００２２】
　そして、当該移動用フレーム２０の一方には、当該支持部９を実際に移動させるための移動用アーム９ａ上に形成されたラック２１ａと、図示しないモータにより回転されると共に当該ラック２１ａに噛み合うことにより当該支持部９を移動用アーム９ａと共に上述した方向に移動させるためのギア２１ｂ及び２１ｃと、が備えられている。これらラック２１ａ、モータ、ギア２１ｂ、２１ｃが移動手段として機能する。なお、この移動手段により前面パネル３の開閉動作と格納部１１の進退動作とが同時に行われる。
【００２３】
　次に、上記格納部１１の細部構成について、図２（ｂ）を用いて説明する。なお、図２（ｂ）は当該格納部１１を図２（ａ）と同様に上方から見た上面図である。
図２（ｂ）に示すように、第１実施形態の格納部１１は、挿入されてきたカード型記録媒体を実際に収納する収納部３０と、当該カード型記録媒体を収納部３０に対し装着、又は排出させるために駆動される駆動部３１と、当該カード型記録媒体に記録された情報の出力又は外部からの情報の当該カード型記録媒体への入力を行うための複数の端子３２と、上記した排出釦１０の後方に位置し当該排出釦１０が押圧されることにより図２（ｂ）中上方向に直線状に移動される排出レバー１０ａと、当該排出レバー１０ａに接続されカード型記録媒体の排出時に操作された当該排出レバー１０ａを元の位置に復帰させるための復帰バネ３０ａと、により構成されている。
【００２４】
　そして、収納部３０に図２（ｂ）に示す矢印方向からカード型記録媒体が挿入されると、当該カード型記録媒体に備えられた端子と上記複数の端子３２とが電気的に接触することにより当該カード型記録媒体からの情報の出力又は当該カード型記録媒体に対する情報の入力が実行される。
【００２５】
　更に、当該カード型記録媒体が動作可能な状態であるときには、排出レバー１０が復帰バネ３０ａの機能により電子機器１の前方に突出することとなり、これにより、カード型記録媒体の排出時に備えて排出釦１０が操作可能な状態となる。
【００２６】
　次に、前面パネル３と格納部１１の動作について、具体的に図３を用いて説明する。なお、図３（ａ）は前面パネル３が電子機器１の筐体Ｃ内に格納された状態（すなわち、図１（ａ）に示す状態）を示す図２（ａ）中Ａ−Ａ’部断面図であり、図３（ｂ）は前面パネル３が展開された状態（すなわち、図１（ｂ）に示す状態）を示す図２（ａ）中Ａ−Ａ’部断面図である。
【００２７】
　図３（ａ）に示すように、前面パネル３の格納時においては、移動用アーム９ａを含む支持部９は、カード型記録媒体ＭＣが格納された格納部１１と共に後方（図３（ａ）左方向）に収納され、当該カード型記録媒体ＭＣの前方（図３（ａ）右方向）は前面パネル３の下端により覆われる状態となる。従って、前面パネル３の格納時においては当該カード型記録媒体ＭＣを格納部１１から取り外すこと及び格納部１１にカード型記録媒体ＭＣを装着することは不可能となる。また、光ディスク等を挿排するための挿入スロット２も前面パネル３により覆われた状態となり、光ディスク等の挿排が不可能となる。
【００２８】
　なお、前面パネル３の上端に設けられた支持軸２９と、筐体Ｃに固定された支持軸２６との間は、回転用アーム２５により連結されており、当該回転用アーム２５は支持軸２９又は２６のいずれに対しても自由に回転可能とされている。
【００２９】
　次に、図２（ａ）に示したギア２１ｂ及び２１ｃが回転されると、移動用アーム９ａは、当該移動用アーム９ａに設けられたガイド溝９ｂが筐体Ｃに固定され当該ガイド溝９ｂと噛み合っているガイドピン２８に沿って移動することにより電子機器１の前方（図３中右方向）に移動され、これに伴って格納部１１も電子機器１の前方に移動する。
【００３０】
　一方、当該格納部１１の動きに連動して、アーム２５が支持軸２６及び２９の回りを回転すると共に電子機器１の前方向に倒れ込むことにより、上記した回転軸７を中心として前面パネル３が図３（ｂ）に示すように電子機器1の後方に倒れ込むようにして展開され、図１（ｂ）に示す展開状態となる。
【００３１】
　これら一連の動作により、内壁１ａ、すなわち挿入スロット２が電子機器１の前方の解放されて光ディスク等の挿排が可能な状態になると共に、格納部１１の挿排口３５が電子機器１の前方にせり出し、この結果、当該格納部１１に格納されていたカード型記録媒体ＭＣが、容易に取り出せる位置まで電子機器１の前方にせり出すこととなる。そして、当該格納部１１の挿排口３５が電子機器１の前方にせり出すことにより、カード型記録媒体ＭＣの先端が前面パネル３よりも前方に露出することとなり、更に、排出釦１０が押圧され駆動部３１がカード型記録媒体ＭＣの先端を電子機器１の前方に更に移動させることで、当該カード型記録媒体ＭＣを格納部１１から容易に取り出すことができるようになるのである。
【００３２】
　以上説明したように、第１実施形態によれば、格納部１１を、前面パネル３の回転軸７の移動に伴って当該回転軸７の移動方向と同じ方向に移動することにより、カード型記録媒体ＭＣの着脱を不可能とする位置に配置しているときは、挿入スロット２も光ディスク等の挿排を不可能とし、格納部１１を、カード型記録媒体ＭＣの挿排を可能とする位置に配置しているときは、挿入スロット２も光ディスク等の挿排を可能とする。よって、複数の記録メディアの挿排を効果的に行わせることができ、記録メディアの盗難の虞を低減することができる。
【００３３】
　更に、回転軸７の移動と共に移動する支持部９に格納部１１が固定されているので、円滑に格納部１１を移動させることができる。
【００３４】
　（II）第２実施形態
　次に、本発明に係る他の実施形態である第２実施形態について、図４を用いて説明する。
【００３５】
　なお、図４（ａ）は第２実施形態の前面パネル３Ａが電子機器１の筐体Ｃ内に格納された状態（すなわち、図１（ａ）に示す状態に相当する状態）を示す側方断面図であり、図４（ｂ）は当該前面パネル３Ａが展開された状態（すなわち、図１（ｂ）に示す状態に相当する状態）を示す側方断面図である。
【００３６】
　また、第２実施形態における前面パネルの外観は第１実施形態の前面パネル３の外観と同一であるので細部の説明は省略する。
【００３７】
　上述した第１実施形態においては、カード型記録媒体ＭＣの格納部１１を、前面パネル３の展開と共に電子機器１の前方にせり出す支持部９に取り付ける構成としたが、以下に説明する第２実施形態では、第１実施形態の場合と同様の収納部３０、排出レバー１０ａ、復帰バネ３１及び複数の端子３２等を備える第２記録媒体格納部としての格納部１１を、展開される前面パネルの内部に取り付けている。そして、前面パネルの底面には、第１実施形態の場合と同様の排出釦１０が備えられている。
【００３８】
　すなわち、図４に示すように、第２実施形態の電子機器１Ａにおいて、第２記録媒体としてのカード型記録媒体ＭＣを格納する第１実施形態の場合と同様の格納部１１は、第２挿排口としての挿排口が図４中下方向に向いて前面パネル３Ａの内部後方に固定されている。また、当該格納部１１における第２記録媒体としてのカード型記録媒体ＭＣの挿排口は前面パネル３Ａが展開したときに、その底面に形成された図示しない切欠孔から露出される。
【００３９】
　そして、図４（ａ）に示す前面パネル３Ａの格納時には、格納部１１に格納されたカード型記録媒体ＭＣは当該格納された前面パネル３Ａと筐体Ｃとにより外部から見えないように隠蔽される。この際、第１の実施形態と同様に第１挿排口としての挿入スロット２は前面パネル３に覆われた状態となり、第１記録媒体としての光ディスク等の挿排が不可能な状態となる。
【００４０】
　一方、図４（ｂ）に示す前面パネル３Ａの展開時には、カード型記録媒体ＭＣの下側の先端が前面パネル３Ａの前方に露出することとなり、当該カード型記録媒体ＭＣが格納部１１から取り出し可能となる。この際、第１の実施形態と同様に第１挿排口としての挿入スロット２が開放された状態となり、第１記録媒体としての光ディスク等の挿排が可能な状態となる。
【００４１】
　なお、前面パネル３Ａ、即ち格納部１１自体の開閉機構は上述した第１実施形態の場合と全く同様であるので、細部の説明は省略する。
【００４２】
　以上説明したように、第２実施形態の構成によれば、カード型記録媒体ＭＣの着脱を不可能とする位置に配置しているときは、挿入スロット２も光ディスク等の挿排を不可能とし、格納部１１を、カード型記録媒体ＭＣの挿排を可能とする位置に配置しているときは、挿入スロット２も光ディスク等の挿排を可能とする。よって、複数の記録メディアの挿排を効果的に行わせることができ、記録メディアの盗難の虞を低減することができる。
【００４３】
　（III）第３実施形態
　次に、本発明の他の実施形態である第３実施形態について、図５を用いて説明する。
【００４４】
　なお、図５（ａ）は第３実施形態の電子機器において前面パネルを展開した状態を示す上面図であり、図５（ｂ）は当該展開状態の電子機器の正面図であり、図５（ｃ）は当該展開状態の電子機器の側方断面図である。
【００４５】
　また、第３実施形態における前面パネルの外観は第１又は第２実施形態の前面パネルの外観と同一であり、更に格納部自体の構成は第１又は第２実施形態の格納部１１の構成と同一であるので細部の説明は省略する。
【００４６】
　上述した第１及び第２実施形態においては、前面パネルの下端が前方にせり出すと共に当該前面パネル自体が後方に倒れ込むことにより当該前面パネルが格納状態から展開状態に移行する構成を有する場合について説明したが、以下に説明する第３乃至第５実施形態においては、当該前面パネルがその下端を中心として回転することにより格納状態から展開状態に移行する構成を有する場合について説明する。
【００４７】
　すなわち、図５に夫々示すように、第３実施形態の電子機器１Ｂにおいては、前面パネル３１は、その下端部に固定されている回転軸３ａを中心として、その上端部を電子機器１Ａの前方へ倒すように回転されることで、電子機器１Ｂ内への格納及び当該格納位置からの展開が為される構成となっている。そして、当該展開時に内壁１ａが電子機器１Ｂの前方に露出することで上記した第１挿排口としての挿入スロット２も併せて当該前方に露出し、これにより当該挿入スロット２に対する第１記録媒体としての光ディスクの挿排が可能となる。
【００４８】
　一方、第３実施形態における第２記録媒体格納部としての格納部１１は、第１実施形態の場合と同様の収納部３０、排出レバー１０ａ、復帰バネ３１及び複数の端子３２等を備えるものであり、その長手方向が前面パネル３Ｂの長手方向と平行（若しくは垂直）となるように展開状態における前面パネル３Ｂの上面（すなわち、前面パネル３Ｂの裏面）に固定されており、この状態で第２記録媒体としてのカード型記録媒体ＭＣの着脱が可能とされている。なお、前面パネル３Ｂの回転に伴い格納部１１が移動される。よって、上記した回転軸３ａは移動手段としての機能を持つ。
【００４９】
　以上説明したように、第３実施形態の構成によれば、当該前面パネル３Ｂが展開状態にあるとき、すなわちカード型記録媒体ＭＣが着脱可能となる位置に配置されると挿入スロット２も光ディスクの挿排を可能とし、前面パネル３Ｂが格納状態にあるとき，すなわちカード型記録媒体ＭＣが着脱不可能となる前面パネル３Ｂの裏面の位置に格納部１１が配置されると挿入スロット２も光ディスクの挿排を不可能とする。よって、複数の記録メディアの挿排を効果的に行わせることができ、記録メディアの盗難の虞を低減することができる。
【００５０】
　（IV）第４実施形態
　次に、本発明に係る他の実施形態である第４実施形態について、図６を用いて説明する。
【００５１】
　なお、図６（ａ）は第４実施形態の電子機器において前面パネルを展開した状態を示す上面図であり、図６（ｂ）は当該展開状態の電子機器の正面図であり、図６（ｃ）は当該展開状態の電子機器の側方断面図である。
【００５２】
　また、第４実施形態における前面パネルの外観は第１又は第２実施形態の前面パネルの外観と同一であるので細部の説明は省略する。
【００５３】
　図６に夫々示すように、第４実施形態の電子機器１Ｃにおいては、前面パネル３Ｃが、その下端部に固定されている移動手段としての回転軸３ａを中心としてその上端部を電子機器１Ｃの前方に倒すように回転されることで、電子機器１Ｃ内への格納及び当該格納位置からの展開が為される構成となっている。そして、当該展開時に内壁１ａが電子機器１Ｃの前方に露出することで上記した第１挿排口としての挿入スロット２も併せて当該前方に露出し、これにより当該挿入スロット２に対する第１記録媒体としての光ディスクの挿排が可能となる。
【００５４】
　一方、第４実施形態における第２記録媒体格納部としての格納部１１ａは、第１実施形態の格納部１１の場合と同様の収納部３０、排出レバー１０ａ、復帰バネ３１及び複数の端子３２等を備えるものであり、その長手方向が前面パネル３Ｃの長手方向と平行となるように第３実施形態の場合と同様に展開状態における前面パネル３Ｃの上面（すなわち、前面パネル３Ｃの裏面）に配置されており、更に回転軸４０を中心として前面パネル３Ｃと平行な面内で電子機器１Ｃの前方に手動による回転が可能とされている。そして、当該格納部１１ａにおける第２記録媒体としてのカード型記録媒体ＭＣの挿排口４１が電子機器１の前方に向くように当該格納部１１ａが回転された状態でカード型記録媒体ＭＣの着脱が可能とされている。なお、前面パネル３Ｃの回転に伴い格納部１１が移動される。よって、上記した回転軸３ａは移動手段としての機能を持つ。
【００５５】
　このとき、格納部１１ａの挿排口４１は、展開状態における前面パネル３Ｃの上端部から更に電子機器１Ｃの前方に露出した状態となっているため、格納されているカード型記録媒体ＭＣの着脱が一層容易に行えることとなる。
【００５６】
　なお、格納部１１ａが回転されていないときは、前面パネル３Ｃに設けられた図示しないロック機構によりロックされ、前面パネル３Ｃの回転動作に支障を来たさないようにされている。
【００５７】
　以上説明したように、第４実施形態の構成によれば、当該前面パネル３Ｃが展開状態にあるとき、すなわちカード型記録媒体ＭＣが着脱可能となる位置に配置されると挿入スロット２も光ディスクの挿排を可能とし、前面パネル３Ｃが格納状態にあるとき，すなわちカード型記録媒体ＭＣが着脱不可能となる前面パネル３Ｃの裏面の位置に格納部１１が配置されると挿入スロット２も光ディスクの挿排を不可能とする。よって、複数の記録メディアの挿排を効果的に行わせることができ、記録メディアの盗難の虞を低減することができる。
【００５８】
　（Ｖ）第５実施形態
　次に、本発明の他の実施形態である第５実施形態について、図７及び図８を用いて説明する。
【００５９】
　なお、図７（ａ）は第５実施形態の電子機器において前面パネルを展開した状態を示す上面図であり、図７（ｂ）は当該展開状態の電子機器の正面図であり、図７（ｃ）は当該展開状態の電子機器の側方断面図であり、図８は格納部の細部機構を示す図である。
【００６０】
　また、第５実施形態における前面パネルの外観は第１又は第２実施形態の前面パネルの外観と同一であるので細部の説明は省略する。
【００６１】
　図７に夫々示すように、第５実施形態の電子機器１Ｄにおいては、前面パネル３Ｄが、その下端部に固定されている回転軸３ａを中心としてその上端部を電子機器１Ｄの前方へ倒すように回転されることで、電子機器１Ｄ内への格納及び当該格納位置からの展開が為される構成となっている。そして、当該展開時に内壁１ａが電子機器１Ｄの前方に露出ことで上記した第１挿排口としての挿入スロット２も併せて当該前方に露出し、これにより当該挿入スロット２に対する第１記録媒体としての光ディスクの挿排が可能となる。
【００６２】
　一方、第５実施形態における第２記録媒体格納部としての格納部１１ｂは、展開状態における前面パネル３Ｄの上面（すなわち、前面パネル３Ｄの裏面）に当該前面パネル３Ｄに形成された凹部７０内にその長手方向が前面パネル３Ｄの長手方向と平行となるように埋め込まれる状態で配置されており、更に回転軸４２を中心として展開状態の前面パネル３Ｄの上面から離れる方向（前面パネル３Ｄから浮き上がる方向）に回転が可能とされている。そして、当該格納部１１ｂが回転され、第２記録媒体としてのカード型記録媒体ＭＣが挿入される第２挿排口としての挿排口４３が上方に移動し前面パネル３Ｄの上面から突出されることで、カード型記録媒体ＭＣの着脱が可能とされている。
【００６３】
　次に、当該格納部１１ｂの動作機構について、より詳細に図８を用いて説明する。
【００６４】
　図８に示すように、格納部１１ｂは横長の挿入口４３を有するカードコンパートメント５１の左右両側に支持材である板金製の左右一対の支持アーム５２を平行状に取り付け、取り付け用基台である前面パネル３Ｄ上に板金製で平行な左右一対のベース板５３をビス止め等にて垂直状に固着し、左右一対の支持アーム５２のカードコンパートメント５１とは反対側の端部である後端５２ｂを左右一対のベース板５３の内側に同心状で、水平な支点ピンである左右一対の回転軸４２によって上下方向に回転自在に取り付けて、左右一対の支持アーム５２の回転動作によって、カードコンパートメント５１を図８ｂに両矢印で示すようにアップ／ダウンさせるように構成している。
【００６５】
　そして、左右一対の支持アーム５２の後端５２ｂ側の下部に形成したバネ係止部５２ｄと、左右一対のベース板５３に形成された左右一対の長穴５３ａ内の左右一対のバネ係止部５３ｂとに左右一対の引張りコイルバネ５５の両端５５ａ及び５５ｂを係止して、これら左右一対の引張りコイルバネ５５のバネ力によってカードコンパートメント５１をアップ位置へ上昇付勢している。そして、一方の支持アーム５２の後端５２ｂ側の下部に１つの被ロック爪５６を一体に形成し、その被ロック爪５６をロックする１つのロック機構５７が一方のベース板５３の内側に取り付けられている。このロック機構５７は上端に水平なロックピン５８ａが取り付けられているロックレバー５８を水平な支点ピンである回転支点５９によって前後方向に回転自在に取り付け、このロックレバー５８を捩りコイルバネ６０によって前方に回転付勢したものである。そして、このロックレバー５８のロックを解除する１つのロック解除レバー（図示せず）が一方のベース板５３の内側に取り付けられている。
【００６６】
　そして、カード型記録媒体ＭＣの装着時には、カードコンパートメント５１を左右一対の引張りコイルバネ５５によってアップ位置までアップさせた状態で、カード型記録媒体ＭＣをカードコンパートメント５１の挿入口４３内に手で斜めに挿入する。そして、手でカードコンパートメント５１をダウン位置まで押し下げると、左右一対の支持アーム５２が左右一対の回転軸４２を中心に左右一対の引張りコイルバネ５５に抗して回転され、カードコンパートメント５１がダウン位置まで押し下げられた時に、被ロック爪５６がロック機構５７におけるロックレバー５８のロックピン５８ａに自動的に係合されて、カードコンパートメント５１がダウン位置にロックされると同時に、カード型記録媒体ＭＣが装着される。
【００６７】
　そして、カード型記録媒体ＭＣの排出時には、イジェクト釦６１を押すと、ロック解除レバーによってロックレバー５８が捩りコイルバネ６０に抗して回転されて、カードコンパートメント５１のダウン位置でのロックが解除され、左右一対の引張りコイルバネ５５によって左右一対の支持アーム５２が左右一対の回転軸４２を中心に回転駆動されて、カードコンパートメント５１がダウン位置からアップ位置までアップされるので、そのカードコンパートメント５１の挿入口４３内からカード型記録媒体ＭＣを手で抜き取ることとなる。
【００６８】
　以上説明したように、第５実施形態の構成によれば、当該前面パネル３Ｄが展開状態にあるとき、すなわちカード型記録媒体ＭＣが着脱可能となる位置に配置されると挿入スロット２も光ディスクの挿排を可能とし、前面パネル３Ｄが格納状態にあるとき，すなわちカード型記録媒体ＭＣが着脱不可能となる前面パネル３Ｄの裏面の位置に格納部１１が配置されると挿入スロット２も光ディスクの挿排を不可能とする。よって、複数の記録メディアの挿排を効果的に行わせることができ、記録メディアの盗難の虞を低減することができる。
【図面の簡単な説明】
【００６９】
【図１】第１実施形態に係る電子機器の正面図であり、（ａ）は前面パネル格納状態の電子機器の正面図であり、（ｂ）は前面パネル展開状態の電子機器の正面図である。
【図２】第１実施形態に係る電子機器の内部構造を示す上方から見た内面図であり、（ａ）は全体図であり、（ｂ）は格納部の細部構成を示す上面図である。
【図３】第１実施形態の電子機器の動作を示す側方断面図であり、（ａ）は前面パネル格納状態の第１実施形態の電子機器を示す側方断面図であり、（ｂ）は前面パネル展開状態の第１実施形態の電子機器を示す側方断面図である。
【図４】第２実施形態の電子機器の動作を示す側方断面図であり、（ａ）は前面パネル格納状態の第２実施形態の電子機器を示す側方断面図であり、（ｂ）は前面パネル展開状態の第２実施形態の電子機器を示す側方断面図である。
【図５】第３実施形態の電子機器を示す図であり、（ａ）は第３実施形態の電子機器において前面パネルを展開した状態を示す上面図であり、（ｂ）は当該展開状態の電子機器の正面図であり、（ｃ）は当該展開状態の電子機器の側方断面図である。
【図６】第４実施形態の電子機器を示す図であり、（ａ）は第４実施形態の電子機器において前面パネルを展開した状態を示す上面図であり、（ｂ）は当該展開状態の電子機器の正面図であり、（ｃ）は当該展開状態の電子機器の側方断面図である。
【図７】第５実施形態の電子機器を示す図であり、（ａ）は第５実施形態の電子機器において前面パネルを展開した状態を示す上面図であり、（ｂ）は当該展開状態の電子機器の正面図であり、（ｃ）は当該展開状態の電子機器の側方断面図である。
【図８】第５実施形態の電子機器における格納部の細部機構を示す図であり、（ａ）は斜視図であり、（ｂ）は側面図であり、（ｃ）はロック機構の拡大図である。
【符号の説明】
【００７０】
　１、１Ａ、１Ｂ、１Ｃ、１Ｄ、１００…電子機器
　１ａ、２０４…内壁
　２…挿入スロット
　３、３Ａ、３Ｂ、３Ｃ、３Ｄ、１０１、２０１…前面パネル
　３ａ、７、４０、４２…回転軸
　３ｂ…切欠孔
　４、５…操作部
　６ａ、６ｂ、６ｃ、６ｄ、６ｅ、６ｆ、６ｇ、６ｈ、６ｉ、６ｊ、１０５…操作ボタン
　９、２０２…支持部
　９ａ…移動用アーム
　９ｂ…ガイド溝
　１０…排出釦
　１０ａ…排出レバー
　１１、１１ａ、１１ｂ…格納部
　１２…表示部
　２０…移動用フレーム
　２１ａ…ラック
　２１ｂ、２１ｃ…ギア
　２５…回転用アーム
　２６、２９…支持軸
　２８…ガイドピン
　３０…収納部
　３０ａ…復帰バネ
　３１…駆動部
　３２…端子
　３５、４１、４３、１０６、２０５…挿入口
　５１…カードコンパートメント
　５２…支持アーム
　５２ｂ…後端
　５２ｄ、５３ｂ…バネ係止部
　５３…ベース板
　５３ａ…長穴
　５５…引張りコイルバネ
　５５ａ、５５ｂ…両端
　５６…被ロック爪
　５７…ロック機構
　５８…ロックレバー
　５８ａ…ロックピン
　５９…回転支点
　６０…捩りコイルバネ
　６１…イジェクト釦
　７０…凹部
　１０２…操作ダイアル
　１０４…動作表示部
　１０３ａ、１０３ｂ…変更ボタン
　２０３…コネクタ
　２０６…軸
　Ｃ…筐体
　Ｆ…フレーム
　ＣＣ…筐体枠
　ＭＣ…カード型記録媒体
【図１】
2004087109.tif 000003
【図２】
2004087109.tif 000004
【図３】
2004087109.tif 000005
【図４】
2004087109.tif 000006
【図５】
2004087109.tif 000007
【図６】
2004087109.tif 000008
【図７】
2004087109.tif 000009
【図８】
2004087109.tif 000010